(57)【要約】      （修正有）【課題】回転体の軸方向に対して略直角方向に、エレベーター用ロープが変位しても、給油を円滑に行い得るエレベーター用ロープ給油装置の提供。【解決手段】乗りかご及びつり合い重りに駆動力を伝達するとともに円筒状の回転体３の外周に巻き掛けられるエレベーター用ロープ２へ給油を行うものにおいて、給油部材７が取り付けられる支持アーム部材６を、回転体３に取り付けられる支持ブラケット５に取り付けた副アーム１２と、一端側１４Ａを副アーム１２に回動可能に取り付け、かつ、他端側１４Ｂに給油部材７を取り付けてなる主アーム１４とから構成して、前記回転体３から垂下するエレベーター用ロープ２の変位に追従して支持アーム部材６の主アーム１４及び給油部材７を変位させる。【選択図】図１
2006290484.tif 000002
【特許請求の範囲】
【請求項１】
乗りかご及びつり合い重りに駆動力を伝達するとともに円筒状の回転体の外周に巻き掛けられるロープへ給油を行うエレベーター用ロープ給油装置において、
給油部材が取り付けられる支持アーム部材を、前記回転体に取り付けられる支持ブラケットに取り付けた副アームと、一端側を前記副アームに回動可能に取り付け、かつ、他端側に前記給油部材を取り付けてなる主アームとから構成することで、前記回転体から垂下するエレベーター用ロープの変位に追従して前記支持アーム部材の主アーム及び前記給油部材を変位させてなることを特徴とするエレベーター用ロープ給油装置。
【請求項２】
前記回転体を、乗りかご及びつり合い重りが昇降する昇降路の頂部近傍に設けられて前記エレベーター用ロープの走行方向を転向させる転向プーリーとすると共に、前記給油手段を、前記主アームの他端側に設けた取り付け部材に取り付けられた一対の筺体と、この一対の筺体に設けられて前記エレベーター用ロープを挟み込む一対の給油用ローラとから構成したことを特徴とする請求項１記載のエレベーター用ロープ給油装置。
【請求項３】
前記支持ブラケットを、その支持ブラケットを前記支持枠の側面に吸着固定させるための磁石部材と、前記支持枠の上面に係止する落下防止爪と、落下防止綱を取り付けるための落下防止綱用掛け具と、前記支持枠の側面に設けた一対の突出部に係止させる一対の係止凹部とを具備する構成にしたことを特徴とする請求項１若しくは２記載のエレベーター用ロープ給油装置。
【請求項４】
前記副アームと主アームとの間に、主アームの回動角度を規制するストッパーが形成されている手挟み防止板を設けたことを特徴とする請求項１、２若しくは３記載のエレベーター用ロープ給油装置。
【発明の詳細な説明】
【技術分野】
【０００１】
本発明は、エレベーター用ロープ給油装置に関するものである。
【背景技術】
【０００２】
一般に、エレベーター用ロープは、複数本の鋼線を寄り合わせることで製作され、しかも、その鋼線が錆びるのを防止するために一定量の油を含油させるようにしている。
【０００３】
そして、エレベーター用ロープなどのような複数本の鋼線を寄り合わせることで製作したロープ（ワイヤーロープ）に、一定量の油を含油させるための給油装置としては、グリス等を収容した給油容器を設け、この給油容器内をロープが摺動可能に貫通するように設けると共に、ロープが巻装される回転体（ドラム）の回転軸の軸方向にそのロープが変位（移動）すると、その変位（移動）に追従して給油容器を変位（移動）させるようにしたものが知られていた（例えば、特許文献１参照）。
【特許文献１】実開昭５９−１４６３９２号公報（１頁、第１図〜第６図）
【発明の開示】
【発明が解決しようとする課題】
【０００４】
しかしながら、上述した実開昭５９−１４６３９２号公報等に記載された給油装置は、ロープが巻装されるドラムの回転軸の軸方向の変位に追従して給油容器を移動させることができるが、ドラムの回転軸の軸方向に対して直角方向に給油容器を移動させることができないので、昇降路の頂部近傍に設けられた転向プーリーなどの回転体の回転軸方向に対して直角方向に揺動するエレベーター用ロープへの給油を円滑に行うことができない。
【０００５】
本発明は、上述した従来技術における実状からなされたもので、その目的は、回転体の回転軸方向に対して直角方向に揺動するエレベーター用ロープへの給油作業を、円滑に、かつ、安全に行うことを可能にするエレベーター用ロープ給油装置を提供することにある。
【課題を解決するための手段】
【０００６】
上記目的を達成するために、本発明は、乗りかご及びつり合い重りに駆動力を伝達するとともに円筒状の回転体の外周に巻き掛けられるロープへ給油を行うエレベーター用ロープ給油装置において、給油部材が取り付けられる支持アーム部材を、前記回転体に取り付けられる支持ブラケットに取り付けた副アームと、一端側を前記副アームに回動可能に取り付け、かつ、他端側に前記給油部材を取り付けてなる主アームとから構成することで、前記回転体から垂下するエレベーター用ロープの変位に追従して前記支持アーム部材の主アーム及び前記給油部材を変位させるようにしたことを特徴としている。
【０００７】
さらに、本発明は、前記回転体を、乗りかご及びつり合い重りが昇降する昇降路の頂部近傍に設けられて前記エレベーター用ロープの走行方向を転向させる転向プーリーとすると共に、前記給油手段を、前記主アームの他端側に設けた取り付け部材に取り付けられた一対の筺体と、この一対の筺体に設けられて前記エレベーター用ロープを挟み込む一対の給油用ローラとから構成したことを特徴としている。
【０００８】
さらに、本発明は、前記支持ブラケットを、その支持ブラケットを前記支持枠の側面に吸着固定させるための磁石部材と、前記支持枠の上面に係止する落下防止爪と、落下防止綱を取り付けるための落下防止綱用掛け具と、前記支持枠の側面に設けた一対の突出部に係止させる一対の係止凹部とを具備する構成にしたことを特徴としている。
【０００９】
さらに、本発明は、前記副アームと主アームとの間に、主アームの回動角度を規制するストッパーが形成されている手挟み防止板を設けたことを特徴としている。
【発明の効果】
【００１０】
本発明によれば、回転体の軸方向に対して略直角方向に、エレベーター用ロープが変位しても、その変位に給油部材が追従して給油を円滑に行わせることのできるエレベーター用ロープ給油装置が得られる。
【００１１】
さらに、本発明によれば、一対の給油用ローラとエレベーター用ロープとの当接状態を最良に保持し得るので、エレベーター用ロープへの給油を円滑に行うことのできるエレベーター用ロープ給油装置が得られる。
【００１２】
さらに、本発明によれば、回転体の支持枠への取り付けが容易であって、しかも、支持ブラケットと支持アーム部材と給油部材からなる一体組み品が、回転体の支持枠から落下することなく、安全性の優れたエレベーター用ロープ給油装置が得られる。
【００１３】
さらに、本発明によれば、支持ブラケットと支持アーム部材と給油部材からなる一体組み品を、回転体の支持枠に取り付ける際に、その取り付けを行う保全作業者の手が、副アームと主アームとの間及び支持ブラケットと主アームとの間に挟まれることを阻止することができ、取扱性に優れたエレベーター用ロープ給油装置が得られる。
【発明を実施するための最良の形態】
【００１４】
以下、本発明に係るエレベーター用ロープ給油装置の一実施形態を、図１〜図３に、基づいて説明する。
【００１５】
図１に示すエレベーター用ロープ給油装置１は、乗りかご及びつり合い重り（図示せず）を昇降させるエレベーター用ロープ２が巻装されるプーリーなどからなる回転体３の支持枠４に取り付けられる鋼板製の支持ブラケット５と、この支持ブラケット５に取り付けられる支持アーム部材６と、この支持アーム部材６に取り付けられる給油部材７とを、少なくとも具備している。そして、エレベーター用ロープ給油装置１は、保全作業者の手によって、支持ブラケット５と支持アーム部材６と給油部材７の３部品に分離したり、あるいは３部品に分離した支持ブラケット５と支持アーム部材６と給油部材７を１組み品に組み立てたりすることができるようにしてある。なお、本実施形態の回転体３は、乗りかご及びつり合い重りが昇降する昇降路内の頂部に位置してエレベーター用ロープ２の走行方向（移動方向）を転向させる転向プーリーからなり、その転向プーリーを支持枠４から上方に延びる延在部材４Ａによって昇降路内の頂部に取り付けられるようにしてある。
【００１６】
支持ブラケット５には、その支持ブラケット５を回転体３の支持枠４の側面に吸着固定させるための永久磁石などからなる磁石部材８と、支持枠４の上面に係止させるためのボルトなどから構成された落下防止爪９と、落下防止綱１０を取り付けるための落下防止綱用掛け具１１とが設けられている（図１及び図２を参照）。支持ブラケット５には、回転体３の支持枠４の側面に設けた一対の突出部４Ｂに係止させる一対の係止凹部５Ａが形成されている。落下防止綱１０は、昇降路内の頂部の内壁などに取り付けられる。
【００１７】
支持アーム部材６は、支持ブラケット５に取り付けた鋼材製の副アーム１２と、この副アーム１２に支点軸１３を軸として一端側１４Ａを回動可能に取り付けた鋼材製の長尺状の主アーム１４と、副アーム１２と主アーム１４との間に設けた円盤状の手挟み防止板１５と、主アーム１４の他端側１４Ｂに設けた給油部材７を取り付けるための棒状の取り付け部材１６とから構成されている。手挟み防止板１５には、主アーム１４の回動角度を規制するストッパー１５Ａが設けられている。主アーム１４の他端側１４Ｂは、回転軸体１７を軸にして矢印Ｐ１のごとく回転するようにしてある（図１及び図２を参照）。
【００１８】
給油部材７は、主アーム１４の他端側１４Ｂに設けた取り付け部材１６に一対の筺体１８、１８Ａと、この一対の筺体（割型筐体）１８、１８Ａに設けた一対の給油用ローラ１９、１９Ａとから、少なくとも構成されている（図１及び図２を参照）。一対の筺体１８、１８Ａには、給油用ローラ１９、１９Ａに油を供給する給油ホース２０が着脱可能に取り付けられる。給油ホース２０は、所定の場所に置かれた油タンク２１に接続されている。
【００１９】
一対の筺体１８、１８Ａは、図３の矢印Ｐ４に示すように、一方の筺体１８に対して他方の筺体１８Ａがヒンジ部材２２によって開閉自在に設けられている。一方の筺体１８に対して他方の筺体１８Ａを閉じた状態は、施錠部材２３によって保持される。エレベーター用ロープ２を給油部材７の一対の給油用ローラ１９、１９Ａの間に挟ませるには、他方の筺体１８Ａを図３に示すように開いた状態とした後、その一対の給油用ローラ１９、１９Ａの間にエレベーター用ロープ２を挟ませて、その後、他方の筺体１８Ａを閉じて施錠部材２３で施錠するようにすればよい。
【００２０】
給油部材７は、給油用ローラ１９、１９Ａの軸方向Ｘ１が回転体３の回転軸３Ａの軸方向Ｘ２と略同一方向となるように、支持アーム部材６の主アーム１４の他端側１４Ｂに取り付けられる（図１及び図２を参照）。支持アーム部材６は、主アーム１４が回転体３から垂下するエレベーター用ロープ２に近接して配設され、かつ、主アーム１４が回転体３の回転軸３Ａの軸方向Ｘ２に対して略直角方向に、すなわち、図１の矢印Ｐ３方向に揺動するように設けられている。支持アーム部材６の副アーム１２は、支持ブラケット５の側面に沿って略水平に延在するように、支持ブラケット５に取り付けられている。副アーム１２には、図１に示すように、その副アーム１２対して略直角方向であって、かつ、回転体３から垂下するエレベーター用ロープ２に沿って垂下するように、主アーム１４が取り付けられている。なお、図１の符号Ｒは、揺動角度（離れ角度）を表している。
【００２１】
上記エレベーター用ロープ給油装置１を用いたエレベーター用ロープ２への給油作業は、次のようにして行われる。
【００２２】
（１）まず、エレベーター用ロープ給油装置１を構成するところの、支持ブラケット５と支持アーム部材６と給油部材７とを、予め組み立てて一体化することで、一体組み品とする。
【００２３】
（２）次いで、昇降路内の頂部に落下防止綱１０を取り付けると共に、その落下防止綱１０の自由端を、前記（１）で組み立てたエレベーター用ロープ給油装置１における支持ブラケット５の落下防止綱用掛け具１１に、取り付ける。
【００２４】
（３）次いで、前記（１）で組み立てたエレベーター用ロープ給油装置１における給油部材７の他方の筺体１８Ａを、図３に示すように開いた状態とした後、一対の給油用ローラ１９、１９Ａの間にエレベーター用ロープ２を挟ませ、その後、他方の筺体１８Ａを閉じて施錠部材２３で施錠することにより、一対の給油用ローラ１９、１９Ａの間でエレベーター用ロープ２を挟んだ状態を維持させる。
【００２５】
（４）次いで、支持ブラケット５の落下防止爪９を支持枠４の上端面に引っ掛けると共に、支持枠４の突出部４Ｂに支持ブラケット５の係止凹部５Ａを係止させつつ、支持ブラケット５の磁石部材８を支持枠４の側面に吸着させることで、エレベーター用ロープ給油装置１を回転体３の近傍に取り付ける。
【００２６】
（５）次いで、給油部材７の一対の筺体１８、１８Ａに給油ホース２０を取り付けてその給油ホース２０から一対の給油用ローラ１９、１９Ａへの給油量を確認調整した後、乗りかごを一往復させることで、エレベーター用ロープ２に給油させる。この場合、主アーム１４が支点軸１３を軸として揺動し、かつ、主アーム１４の他端側１４Ｂが回転軸体１７を軸にして回転するので、エレベーター用ロープ２の走行時における揺れに対して一対の給油用ローラ１９、１９Ａが円滑に追従することになる。
【００２７】
（６）次いで、乗りかごを一往復させたならば、給油ホース２０から一対の給油用ローラ１９、１９Ａへの給油を停止させ、かつ、給油部材７の一対の筺体１８、１８Ａから給油ホース２０を外して、その給油ホース２０及び油タンク２１を片付ける
（７）最後に、落下防止綱１０を落下防止綱用掛け具１１から外すと共に、支持ブラケット５と支持アーム部材６と給油部材７とからなるエレベーター用ロープ給油装置１を、回転体３の支持枠４から外して、その落下防止綱１０及びエレベーター用ロープ給油装置１を片付けることで、エレベーター用ロープ２への給油作業が終了する。
【００２８】
上記本実施形態によれば、給油作業時にエレベーター用ロープ２を走行させてそのエレベーター用ロープ２に給油させた場合、主アーム１４が支点軸１３を軸として揺動し、かつ、主アーム１４の他端側１４Ｂが回転軸体１７を軸にして回転するので、エレベーター用ロープ２の走行時における揺れなどの変位に対して一対の給油用ローラ１９、１９Ａが円滑に追従して、一対の給油用ローラ１９、１９Ａとエレベーター用ロープ２との当接状態を、常に最良に保持し得るので、一対の給油用ローラ１９、１９Ａからエレベーター用ロープ２への給油が円滑に効率よく行われる。
【００２９】
さらに、上記本実施形態によれば、主アーム１４が支点軸１３を軸として揺動し、かつ、主アーム１４の他端側１４Ｂが回転軸体１７を軸にして回転することによって、エレベーター用ロープ２の走行時における揺れに対して一対の給油用ローラ１９、１９Ａが円滑に追従するため、エレベーター用ロープ給油装置１を回転体３の近傍に取り付けた後の、その取り付けの微調整を必要としないので、エレベーター用ロープ給油装置１の取り付け作業性が向上することになる。
【００３０】
さらに、上記本実施形態によれば、支持ブラケット５と支持アーム部材６と給油部材７とからなるエレベーター用ロープ給油装置１の、回転体３の支持枠４への取り付け作業及び取り外し作業を、回転体３の一側面側から（図２の矢印Ｐ５の方向から）、すべて行うことができるので、それらの作業を、安全に、かつ、迅速に実施することができる。また、エレベーター用ロープ給油装置１の、回転体３の支持枠４への取り付け作業及び取り外し作業は、何らの取り付け工具を必要とすることなく、行うことができるので、便利である。
【００３１】
さらに、上記本実施形態によれば、支持枠４の上面に係止する落下防止爪９と落下防止綱１０を取り付けるための落下防止綱用掛け具１１とを、支持ブラケット５に設けることにより、その支持ブラケット５と回転体３の支持枠４との吸着固定が不十分であっても、その支持ブラケット５が昇降路内底に落下するのを阻止することができ、安全である。
【００３２】
さらに、上記本実施形態によれば、副アーム１２と主アーム１４との間に手挟み防止板１５を設けてその手挟み防止板１５に主アーム１４の回動角度を規制するストッパー１５Ａが設けられているので、主アーム１４が支点軸１３を軸として回動しても、その回動がストッパー１５Ａで阻止される。そのため、主アーム１４が支持ブラケット５に近接することがないので、エレベーター用ロープ２への給油作業を行う際、その給油作業を行う保全作業者の手が、副アーム１２と主アーム１４との間及び支持ブラケット５と主アーム１４との挟まれることがなく、安全である。
【００３３】
さらに、上記本実施形態によれば、支持ブラケット５と支持アーム部材６と給油部材７とからなるエレベーター用ロープ給油装置１を、回転体３の支持枠４から取り外して、別のエレベーター設置現場に持ち運び、その現場のエレベーター用ロープが巻装されるプーリーの支持枠に取り付けてエレベーター用ロープへの給油作業を行うことができる。したがって、エレベーター設置現場毎にロープ給油装置をしなくてもよく、一式のエレベーター用ロープ給油装置１で、複数のエレベーター設置現場におけるエレベーター用ロープへの給油作業を行うことができるので、経済的である。
【００３４】
上記本実施形態のエレベーター用ロープ給油装置１では、保全作業者の手によって、支持アーム部材６と給油部材７とに分離できる構造にしているが、これに限定されない。支持アーム部材６と給油部材７と一体化した構造にしてもよい。
【図面の簡単な説明】
【００３５】
【図１】本発明の一実施形態に係わり、回転体に取り付け状態におけるエレベーター用ロープ給油装置の全体構成図である。
【図２】本発明の一実施形態に係わり、回転体に取り付け状態におけるエレベーター用ロープ給油装置の要部側面拡大図である。
【図３】図２の矢印Ｐ２視部拡大図である。
【符号の説明】
【００３６】
１    エレベーター用ロープ給油装置
２    エレベーター用ロープ
３    回転体
３Ａ  回転軸
４    支持枠
４Ａ  延在部材
４Ｂ  突出部
５    支持ブラケット
５Ａ  係止凹部
６    支持アーム部材
７    給油部材
８    磁石部材
９    落下防止爪
１０  落下防止綱
１１  落下防止綱用掛け具
１２  副アーム
１３  支点軸
１４  主アーム
１４Ａ  一端側
１４Ｂ  他端側
１５  手挟み防止板
１５Ａ  ストッパー
１６  取り付け部材
１７  回転軸体
１８、１８Ａ  一対の筺体
１９、１９Ａ  一対の給油用ローラ
２０  給油ホース
２１  油タンク
２２  ヒンジ部材
２３  施錠部材
【図１】
2006290484.tif 000003
【図２】
2006290484.tif 000004
【図３】
2006290484.tif 000005